(57)【特許請求の範囲】
【請求項１】
ネットワークにおける通信のために構成されたワイヤレス装置において実装される方法であって、前記方法が、
前記ワイヤレス装置の推定される位置およびこの位置推定の精度に基づいて前記ワイヤレス装置が位置するエリアを判断することと、
各領域が前記エリアの一部分に対応する複数の領域を識別することであって、前記複数の領域における領域の数が前記位置推定の前記精度に依存し、前記複数の領域を識別することが前記エリア内の領域に関するデータベースに問い合わせることを含む、識別することと、
前記複数の領域に関する情報を受信することであって、前記情報が、前記複数の領域のうちの１つまたは複数内での通信のために割り振られる１つまたは複数の通信チャネルを示す、受信することと、
前記１つまたは複数の通信チャネル上での通信について感知することと、
前記感知することに基づいて前記１つまたは複数の通信チャネルの利用可能性を判断することと
を備える、方法。
【請求項２】
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、請求項１に記載の方法。
【請求項３】
前記エリアは、前記ワイヤレス装置が通信に関与するデバイスのセルラー識別子に基づいて判断される、請求項１に記載の方法。
【請求項４】
利用可能であると判断された前記１つまたは複数の通信チャネルのうちの少なくとも１つの上で通信することをさらに備える、請求項１に記載の方法。
【請求項５】
前記複数の領域の組み合わせが、少なくとも前記判断されたエリアに等しい、請求項１に記載の方法。
【請求項６】
前記複数の領域に関する前記情報についてデータベースを照会することをさらに備える、請求項１に記載の方法。
【請求項７】
ネットワークにおける通信のために構成されたワイヤレス装置であって、前記装置が、
前記ワイヤレス装置の推定される位置およびこの位置推定の精度に基づいて前記ワイヤレス装置が位置するエリアを判断することと、
各領域が前記エリアの一部分に対応する複数の領域を識別することであって、前記複数の領域における領域の数が前記位置推定の前記精度に依存し、前記複数の領域を識別することが前記エリア内の領域に関するデータベースに問い合わせることを含む、識別することと、
を行うように構成されたプロセッサと、
前記複数の領域に関する情報を受信するように構成された受信機であって、前記情報が、前記複数の領域のうちの１つまたは複数内での通信のために割り振られる１つまたは複数の通信チャネルを示す、受信機と、
前記１つまたは複数の通信チャネル上での通信について感知するように構成された感知モジュールと
を備え、前記プロセッサが、前記感知することに基づいて前記１つまたは複数の通信チャネルの利用可能性を判断するようにさらに構成された、装置。
【請求項８】
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、請求項７に記載の装置。
【請求項９】
前記エリアは、前記ワイヤレス装置が通信に関与するデバイスのセルラー識別子に基づいて判断される、請求項７に記載の装置。
【請求項１０】
利用可能であると判断された前記１つまたは複数の通信チャネルのうちの少なくとも１つの上で通信するように構成された送信機をさらに備える、請求項７に記載の装置。
【請求項１１】
前記複数の領域の組み合わせが、少なくとも前記判断されたエリアに等しい、請求項７に記載の装置。
【請求項１２】
前記複数の領域に関する前記情報についてデータベースにクエリを送信するように構成された送信機をさらに備える、請求項７に記載の装置。
【請求項１３】
ネットワークにおける通信のために構成されたワイヤレス装置であって、前記装置が、
前記ワイヤレス装置の推定される位置およびこの位置推定の精度に基づいて前記ワイヤレス装置が位置するエリアを判断するための手段と、
各領域が前記エリアの一部分に対応する複数の領域を識別するための手段であって、前記複数の領域における領域の数が前記位置推定の前記精度に依存し、前記複数の領域を識別することが前記エリア内の領域に関するデータベースに問い合わせることを含む、識別するための手段と、
前記複数の領域に関する情報を受信するための手段であって、前記情報が、前記複数の領域のうちの１つまたは複数内での通信のために割り振られる１つまたは複数の通信チャネルを示す、受信するための手段と、
前記１つまたは複数の通信チャネル上での通信について感知するための手段と、
前記感知することに基づいて前記１つまたは複数の通信チャネルの利用可能性を判断するための手段とを備える、装置。
【請求項１４】
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、請求項１３に記載の装置。
【請求項１５】
前記エリアは、前記ワイヤレス装置が通信に関与するデバイスのセルラー識別子に基づいて判断される、請求項１３に記載の装置。
【請求項１６】
利用可能であると判断された前記１つまたは複数の通信チャネルのうちの少なくとも１つの上で通信するための手段をさらに備える、請求項１３に記載の装置。
【請求項１７】
前記複数の領域の組み合わせが、少なくとも前記判断されたエリアに等しい、請求項１３に記載の装置。
【請求項１８】
前記複数の領域に関する前記情報についてデータベースを照会するための手段をさらに備える、請求項１３に記載の装置。
【請求項１９】
ワイヤレス装置が位置するエリアを前記ワイヤレス装置の推定される位置およびこの位置推定の精度に基づいて判断することと、
各領域が前記エリアの一部分に対応する複数の領域を識別することであって、前記複数の領域における領域の数が前記位置推定の精度に依存し、前記複数の領域を識別することが前記エリア内の領域に関するデータベースに問い合わせることを含む、識別することと、
前記複数の領域に関する情報を受信することであって、前記情報が、前記複数の領域のうちの１つまたは複数内での通信のために割り振られる１つまたは複数の通信チャネルを示す、受信することと、
前記１つまたは複数の通信チャネル上での通信について感知することと、
前記感知することに基づいて前記１つまたは複数の通信チャネルの利用可能性を判断することと
をコンピュータに行わせるためのコードを備える、コンピュータプログラム。
【請求項２０】
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、請求項１９に記載のコンピュータプログラム。
【請求項２１】
前記エリアは、前記ワイヤレス装置が通信に関与するデバイスのセルラー識別子に基づいて判断される、請求項１９に記載のコンピュータプログラム。
【請求項２２】
前記コードが、利用可能であると判断された前記１つまたは複数の通信チャネルのうちの少なくとも１つの上で通信することを前記コンピュータにさらに行わせる、請求項１９に記載のコンピュータプログラム。
【請求項２３】
前記複数の領域の組み合わせが、少なくとも前記判断されたエリアに等しい、請求項１９に記載のコンピュータプログラム。
【請求項２４】
前記コードが、前記複数の領域に関する前記情報についてデータベースを照会することを前記コンピュータにさらに行わせる、請求項１９に記載のコンピュータプログラム。
【発明の詳細な説明】
【関連出願】
【０００１】
米国特許法第１１９条に基づく優先権の主張
本出願は、参照により本明細書に明確に組み込まれる、２０１０年１１月１５日に出願された、同一出願人が所有する米国仮特許出願第６１／４１３，７７５号の、米国特許法第１１９条に基づく利益を主張する。
【技術分野】
【０００２】
本出願は、ワイヤレス通信に関し、特に、周波数スペクトルの管理を可能にするためのシステム、方法およびデバイスに関する。
【背景技術】
【０００３】
高速ワイヤレスデータサービスの人気により、組織化されたワイヤレスネットワークとアドホックワイヤレスネットワークとの両方による利用可能な周波数スペクトルへのアクセスに対する需要が増大している。その需要を満たす能力は、地理的エリア内での信頼できる通信のために使用され得る利用可能な周波数スペクトルの欠如によって、しばしば制限される。ほとんどの国で採用されている自然周波数スペクトルとライセンススペクトルモデルとの制限を仮定すれば、スペクトルアクセスに対する需要の増加に適応することが課題となっている。
【０００４】
ほとんどの国では、利用可能な周波数スペクトルは、いくつかのライセンス周波数帯域と非ライセンス周波数帯域とに分割されている。ワイヤレスセルラーネットワークといくつかのテレビジョンチャネル送信とは、一般に、ライセンス周波数帯域中で動作する。ネットワーク事業者は、しばしば特定のライセンス帯域の１次ユーザ(primary user)またはライセンシー(licensee)である。１次ユーザとして、ネットワーク事業者は、無許可の干渉源が最小限に抑えられるように、すべての他の潜在的ユーザを除外することを許される。
【０００５】
ライセンススペクトルモデルの欠点は、それがライセンス周波数帯域の過少利用につながり得ることである。例えば、１次ユーザによるネットワーク利用率が低い場合があり得、および／または１次ユーザによって運用されるネットワークのためのエンドユーザが少数である地理的領域がある。同時に、非ライセンス帯域上での通信は、信頼できる通信のために非ライセンス帯域にアクセスすることができない１人または複数のユーザで輻輳し得る。
【０００６】
スペクトル共有を可能にするために、コグニティブ無線（cognitive radio）が提案されている。スペクトル共有は、１次ユーザが、所与の時間においておよび／または特定の地理的ロケーション中で該当のライセンス周波数帯域を使用していないとき、周波数スペクトルのライセンス部分へのアクセスを２次ユーザに与える。とはいえ、１次ユーザネットワークは優先され、１次ユーザネットワーク通信に対する干渉を、完全にはなくさないとしても、低減することが望ましい。従って、１次ユーザネットワークに対する干渉を緩和するために、２次ユーザが、１次ユーザネットワーク通信の存在をできるだけ迅速に効率的に識別し、該当のライセンス帯域をできるだけ迅速に空けることが課題となっている。
【発明の概要】
【０００７】
添付の特許請求の範囲内のシステム、方法およびデバイスの様々な実施形態は、各々いくつかの態様を有し、それらのうちの単一の態様が、単独で、本明細書で説明する望ましい属性を担当するわけではない。添付の特許請求の範囲を限定することなしに、いくつかの顕著な特徴について本明細書で説明する。この説明を考察すれば、特に「発明を実施するための形態」と題するセクションを読めば、様々な実施形態の特徴が、１次ユーザなどの存在を感知するためにどのように使用されるかが理解されよう。
【０００８】
本開示の一態様は、ネットワークにおける通信のために構成されたワイヤレス装置において実装される方法を提供する。本方法は、ワイヤレス装置が位置するエリアを判断することを備える。本方法は、各領域がエリアの一部分に対応する、複数の領域を識別することをさらに備える。本方法は、複数の領域に関する情報を受信することであって、その情報が、複数の領域のうちの１つまたは複数内での通信のために割り振られる１つまたは複数の通信チャネルを示す、受信することをさらに備える。本方法は、１つまたは複数の通信チャネル上での通信について感知することをさらに備える。本方法は、感知することに基づいて１つまたは複数の通信チャネルの利用可能性を判断することをさらに備える。
【０００９】
本開示の別の態様は、ネットワークにおける通信のために構成されたワイヤレス装置を提供する。本装置は、ワイヤレス装置が位置するエリアを判断するように構成されたプロセッサを備える。本プロセッサは、各領域がエリアの一部分に対応する、複数の領域を識別するようにさらに構成される。本装置は、複数の領域に関する情報を受信するように構成された受信機であって、その情報が、複数の領域のうちの１つまたは複数内での通信のために割り振られる１つまたは複数の通信チャネルを示す、受信機をさらに備える。本装置は、１つまたは複数の通信チャネル上での通信について感知するように構成された感知モジュールをさらに備える。本プロセッサは、感知することに基づいて１つまたは複数の通信チャネルの利用可能性を判断するようにさらに構成される。
【００１０】
本開示の別の態様は、ネットワークにおける通信のために構成されたワイヤレス装置を提供する。本装置は、ワイヤレス装置が位置するエリアを判断するための手段を備える。本装置は、各領域がエリアの一部分に対応する、複数の領域を識別するための手段をさらに備える。本装置は、複数の領域に関する情報を受信するための手段であって、その情報が、複数の領域のうちの１つまたは複数内での通信のために割り振られる１つまたは複数の通信チャネルを示す、受信するための手段をさらに備える。本装置は、１つまたは複数の通信チャネル上での通信について感知するための手段をさらに備える。本装置は、感知することに基づいて１つまたは複数の通信チャネルの利用可能性を判断するための手段をさらに備える。
【００１１】
本開示の別の態様は、コードを記憶した非一時的コンピュータ可読媒体を備えるコンピュータプログラム製品を提供する。本コードは、ワイヤレス装置が位置するエリアを判断することをコンピュータに行わせる。本コードは、各領域がエリアの一部分に対応する、複数の領域を識別することをコンピュータにさらに行わせる。本コードは、複数の領域に関する情報を受信することであって、その情報が、複数の領域のうちの１つまたは複数内での通信のために割り振られる１つまたは複数の通信チャネルを示す、受信することをコンピュータにさらに行わせる。本コードは、１つまたは複数の通信チャネル上での通信について感知することをコンピュータにさらに行わせる。本コードは、感知することに基づいて１つまたは複数の通信チャネルの利用可能性を判断することをコンピュータにさらに行わせる。
【図面の簡単な説明】
【００１２】
【図１Ａ】ワイヤレス通信システムの一部分のいくつかの例示的な態様の簡略ブロック図。
【図１Ｂ】図１Ａのワイヤレス通信システムにおける例示的なチャネルの簡略周波数図。
【図２】デバイスの実装形態の概略図。
【図３】いくつかの実施形態において使用する例示的なデータベースの図。
【図４】ワイヤレス通信システムの簡略図。
【図５】方法の実装形態のフローチャート。
【図６】方法の実装形態のフローチャート。
【図７】方法の実装形態のフローチャート。
【図８】方法の実装形態のフローチャート。
【図９】方法の実装形態のフローチャート。
【図１０】ワイヤレス通信システムの簡略図。
【図１１】ワイヤレス通信システムの簡略図。
【図１２】フェムトノードを含むワイヤレス通信システムの簡略図。
【図１３】ワイヤレス通信のためのカバレージエリアを示す簡略図。
【図１４】通信構成要素のいくつかの例示的な態様の簡略ブロック図。
【図１５】処理モジュールの構成要素のいくつかの例示的な態様の簡略ブロック図。
【００１３】
慣例により、図面に示す様々な特徴は一定の縮尺で描かれていないことがある。従って、様々な特徴の寸法は、わかりやすいように任意に拡大または縮小されることがある。さらに、図面のいくつかは、所与のシステム、方法またはデバイスの構成要素のすべてを示しているとは限らないことがある。最後に、明細書および図の全体にわたって同様の特徴を示すために同様の参照番号が使用されることがある。
【発明を実施するための形態】
【００１４】
添付の特許請求の範囲内の実施形態の様々な態様について以下で説明する。本明細書で説明する態様は多種多様な形態で実施され得、本明細書で説明する特定の構造および／または機能は例示的なものにすぎないことは明らかなはずである。本開示に基づいて、本明細書で説明する態様は他の態様とは独立に実装され得ること、およびこれらの態様のうちの２つ以上は様々な方法で組み合わせられ得ることを、当業者なら諒解されたい。例えば、本明細書に記載する態様をいくつ使用しても、装置を実装し、および／または方法を実施し得る。さらに、本明細書に記載する態様のうちの１つまたは複数に加えて、あるいはそれら以外の他の構造および／または機能を使用して、そのような装置を実装し、および／またはそのような方法を実施し得る。
【００１５】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ（登録商標））および低チップレート（ＬＣＲ）を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、ＩＥＥＥ８０２．２２、Ｆｌａｓｈ−ＯＦＤＭＡなどの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。同様に、ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。これらの様々な無線技術および規格は当技術分野で知られている。
【００１６】
シングルキャリア変調および周波数領域等化を利用するシングルキャリア周波数分割多元接続（ＳＣ−ＦＤＭＡ）は、１つの技法である。ＳＣ−ＦＤＭＡは、ＯＦＤＭＡシステムと同様の性能および本質的に同じ全体的な複雑さを有する。ＳＣ−ＦＤＭＡ信号は、それの固有のシングルキャリア構造のために、より低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、大きい注目を引いている。それは現在、３ＧＰＰ  Ｌｏｎｇ  Ｔｅｒｍ  Ｅｖｏｌｕｔｉｏｎ（ＬＴＥ）、またはＥｖｏｌｖｅｄ  ＵＴＲＡにおけるアップリンク多元接続方式に関する実用的な前提である。
【００１７】
いくつかの態様では、本明細書の教示は、大規模カバレージ（例えば、一般にマクロセルネットワークと呼ばれる、３Ｇネットワークなどの広域セルラーネットワーク）と、より小規模のカバレージ（例えば、住居ベースまたは建築物ベースのネットワーク環境）とを含むネットワークにおいて採用され得る。アクセス端末（ＡＴ）またはユーザ機器（ＵＥ）がそのようなネットワーク中を移動するとき、アクセス端末は、あるロケーションでは、マクロカバレージを与えるアクセスノード（ＡＮ）によってサービスされ得、他のロケーションでは、より小規模のカバレージを与えるアクセスノードによってサービスされ得る。いくつかの態様では、より小さいカバレージノードを使用して、（例えば、よりロバストなユーザエクスペリエンスのために）増分キャパシティの増大と、屋内カバレージと、様々なサービスとを与え得る。本明細書での説明では、比較的大きいエリアにわたるカバレージを与えるノードを、マクロノードと呼ぶことがある。比較的小さいエリア（例えば、住居）にわたるカバレージを与えるノードを、フェムトノードと呼ぶことがある。マクロエリアよりも小さく、フェムトエリアよりも大きいエリアにわたるカバレージを与える（例えば、商業建築物内のカバレージを与える）ノードを、ピコノードと呼ぶことがある。
【００１８】
マクロノード、フェムトノード、またはピコノードに関連付けられたセルを、それぞれ、マクロセル、フェムトセル、またはピコセルと呼ぶことがある。いくつかの実装形態では、各セルをさらに１つまたは複数のセクタに関連付ける（例えば、分割する）ことがある。
【００１９】
様々な適用例では、マクロノード、フェムトノード、またはピコノードを指すために他の用語を使用することがある。例えば、マクロノードを、アクセスノード、基地局、アクセスポイント、ｅノードＢ、マクロセルなどとして構成すること、またはそのように呼ぶことがある。また、フェムトノードを、ホームノードＢ（ＨＮＢ）、ホームｅノードＢ（ＨｅＮＢ）、アクセスポイント基地局、フェムトセルなどとして構成すること、またはそのように呼ぶことがある。
【００２０】
周波数スペクトルの過少利用される部分は、スペクトルホールおよび／またはホワイトスペースと呼ばれることがある。スペクトルホールおよび／またはホワイトスペースがライセンス周波数帯域中に存在するときにスペクトル共有を可能にするために、コグニティブ無線が提案されている。
【００２１】
コグニティブ無線用語では、１次ユーザは、ライセンス周波数帯域などのスペクトルの特定の部分の使用に関して優先順位がより高い権利またはレガシー権利を有するユーザとして定義され得る。一方、２次ユーザは、優先順位がより低く、２次ユーザが１次ユーザへの不当なまたは過度にわずらわしい干渉を生じないような方法でスペクトルを活用する。
【００２２】
スペクトル共有は、１次ユーザが、所与の時間においておよび／または特定の地理的ロケーション中で該当のライセンス周波数帯域を使用していないとき、周波数スペクトルのライセンス部分へのアクセスを２次ユーザに与える。言い換えれば、２次ユーザは、特定のライセンス帯域が特定のエリア中で未使用である時間を検出し、次いで、ライセンスホルダーの送信への著しい干渉を生じることなしに、送信のための帯域を使用する。従って、一実装形態では、２次ユーザは、スペクトルが１次ユーザによって使用されているかどうかを確認するために確実にスペクトルを監視する能力、およびスペクトルの未使用の部分を活用するために無線パラメータを変更する能力などの、コグニティブ無線能力を有する。
【００２３】
図１Ａは、ワイヤレス通信システム１００ａの一部分のいくつかの例示的な態様の簡略ブロック図である。図１Ｂは、図１Ａのワイヤレス通信システム１００ａによって使用されるスペクトル２００ａの一部分における例示的なチャネルの簡略周波数図である。スペクトル２００ａの一部分は、１次チャネル２０１の周波数帯域と非ライセンスチャネル２０３の周波数帯域とを含む。激しい輻輳、無調整送信機の存在、および／またはスペクトルの非ライセンス帯域の自然伝搬特性のために、非ライセンスチャネル２０３があまり望ましくないことがある。
【００２４】
図１Ａをさらに参照すると、システム１００ａは、１次ユーザ基地局１１２と２次ユーザ基地局１２２とを含む。２次ネットワークは、例えば、５つの２次ユーザノード１２３ａ、１２３ｂ、１２３ｃ、１２３ｄ、１２３ｅを有する。１次ネットワークと２次ネットワークとは各々任意の数のユーザノードを含むことができることを当業者なら諒解されよう。
【００２５】
１次ユーザ基地局１１２は、１１３によって示される使用可能な範囲と、１１０によって示される全カバレージエリアとを有する。１次ユーザ範囲１１３以外に、たとえただ弱くとしても、１次ユーザ基地局１１２からの送信が受信され得るガードバンド１１４がある。ガードバンド１１４によってカバーされる全１次ユーザエリアは、１１１によって示されている。２次ユーザ基地局１２２は、１２４によって示される使用可能な範囲と、１２０によって示される全カバレージエリアとを有する。エリア１３０は、１次ユーザ基地局１１２のカバレージエリア１１０と、２次ユーザ基地局１２２のカバレージエリア１２０とが重複する地理的エリアを表す。
【００２６】
１次ユーザネットワークがエリア１３０中で過少利用される場合、２次ネットワークは、１次チャネル２０１中のスペクトルホールを利用するために、送信をエリア１３０に拡張できる。しかしながら、１次ユーザネットワークがより活動的になるとすぐに、２次ネットワークは、少なくともエリア１３０中の１次チャネル２０１を空けなければならない。例えば、２次ネットワークは、非ライセンスチャネル２０３に切り替えることによって適応する。このプロセスはいくつかの規制方式に従い得る。例えば、１次Ｔｘ１１２が１次ユーザエリア１１１中でアクティブであるかまたは送信している場合、２次Ｔｘ１２２は、１次ユーザエリア１１１の任意の部分において動作し得ない。従って、２次Ｔｘ１２２は、送信をエリア１３０に拡張し得ない。簡単のために、そのような方式の下では、１次Ｔｘ１１２がアクティブでない場合、２次Ｔｘ１２２のみが、１次ユーザーエリア１１１中で信号を送信することが可能であり得る。１次Ｔｘ１１２がアクティブになると、２次Ｔｘ１２２は、エリア１１１を直ちに空けることを要求され得る。しかしながら、本明細書で説明する様々な実施形態は、そのような単一の方式による動作に限定されず、必要な場合、上記で説明したように、送信の拡張をエリア１３０に組み込み得る。
【００２７】
過少利用される周波数スペクトルの一例としては、ＴＶ周波数帯域があり得る。ＴＶ周波数帯域は、概して、ライセンスユーザによって過少利用される。さらに、ＴＶ周波数帯域は、１００ＭＨｚを上回る周波数空間を占有し得るので、優れた信号対雑音特性を示す。
【００２８】
いくつかのルールがＴＶホワイトスペース中での非ライセンス動作を可能にし、ＴＶホワイトスペースは、ＴＶ帯域１次ユーザによって使用されないＴＶチャネルを指す。ＴＶ帯域１次ユーザは、デジタルＴＶ（ＡＴＳＣ）、アナログＴＶ（ＮＴＳＣ）、および／またはワイヤレスマイクロフォンであり得る。ＴＶホワイトスペース中で送信するデバイスはＴＶ帯域デバイス（ＴＶＢＤ）として示される。ＴＶＢＤは、アクセスポイント、ユーザ機器、フェムトセル、ＷＬＡＮアクセスポイント、ＷＬＡＮ局、または任意の一般的なワイヤレスデバイスなど、任意のワイヤレス端末であり得る。
【００２９】
連邦通信委員会（ＦＣＣ）によれば、ＴＶ帯域中で送信する前に、ＴＶＢＤは、スペクトル感知によって、またはジオロケーション(geo-location)とデータベースルックアップとを使用することによって、ＴＶチャネル（すなわち、特定の周波数範囲（例えば、６ＭＨｚ帯））の利用可能性について確認しなければならない。従って、ＴＶＢＤがＴＶホワイトスペース中で送信する前に、ＴＶＢＤは、ＴＶチャネルにＴＶ１次ユーザがないことを確認し得る。ＴＶＢＤは、スペクトル感知によって、または１次ユーザ情報を登録しているデータベースとの通信によって、ＴＶ１次ユーザの存在または不在を推測できる。いくつかの規制方式は、所与のジオロケーションにおける特定の周波数帯域のすべての１次ユーザによってポピュレートされるデータベースを企図する。しかしながら、ＴＶチャネルに、データベース中に登録されたＴＶ１次ユーザがないかどうかを判断するために、ＴＶＢＤは、一定の精度、例えば、５０メートル以内でのそれのジオロケーションを知ることを要求され得る。従って、そのような正確なジオロケーションを判断することが可能なデバイスを有することは、常に実施可能であるとは限らない。デバイスは、そのようなジオロケーション判断能力を装備し得ないか、またはそのような方式によって必要とされる精度に対するジオロケーションの判断を可能にしないジオロケーション中にあり得る。
【００３０】
スペクトル感知のみが、１次ユーザの存在を判断するための代替として提案されているが、このタスクにおいてはしばしば非効率的である。例えば、ＴＶチャネルまたは他のライセンスチャネルの１次ユーザは、低い信号対雑音比を有するワイヤレスマイクロフォンまたは同様のデバイスであるので、特定のチャネルまたは周波数帯域中で通信するそのようなデバイスを感知することが困難になり得る。さらに、広帯域チャネル（例えば、６ＭＨｚ）の比較的小さい部分（例えば、２００ｋＨｚ）のみを占有する狭帯域１次ユーザデバイスを検出するためには、１次ユーザデバイスからの送信について広帯域チャネル全体を感知すべきである。例えば、ワイヤレスマイクロフォンは、６ＭＨｚ帯域幅を有するＴＶチャネル中で動作し、２００ｋＨｚ範囲内でのみ送信し得るが、チャネル内でマイクロフォンを検出するには、一般に、マイクロフォンからの通信についてチャネル６ＭＨｚ帯域幅全体を走査する必要がある。
【００３１】
いくつかの実施形態では、通信のための特定の周波数範囲の利用可能性を判断するために、Ｘメートル（但し、Ｘは５０メートルよりも大きいことがある）内のデバイスロケーションを判断できる粗いジオロケーション技法が使用される。従って、デバイスは、粗いロケーションを中心とする半径Ｘの円によって定義されたエリア内で、デバイスの実際の位置を判断することが可能である。この情報に基づいて、デバイスは、エリアを、複数の格子エリアからなる格子に分割し得る。各格子エリアは、どのデバイスがその特定の格子エリア中で通信しているか、および／またはどの（１つまたは複数の）周波数範囲がその特定の格子エリア中で使用されているかに関する情報を記憶するデータベース中にエントリを有し得る。デバイスは、デバイスが位置し得るエリアを構成する複数の格子エリアの各々についてこの情報を照会し、通信のための特定の周波数範囲の利用可能性を判断するためにこの情報を使用し得る。
【００３２】
一実施形態では、デバイスが、複数の格子エリア自体についての受信された情報に基づいて、特定の周波数範囲の利用可能性を判断し得る。例えば、デバイスは、複数の格子エリアのいずれかにおいて使用される周波数範囲が使用されている周波数範囲であり、従って通信のために利用可能でないと控えめに判断し得る。これは、過度に包含的であり、通信のために実際に利用可能であり得るいくつかの周波数範囲の使用を除外し得る。
【００３３】
別の実施形態では、デバイスが、複数の格子エリアについての受信された情報とスペクトル感知とに基づいて、特定の周波数範囲の利用可能性を判断し得る。デバイスは、複数の格子エリアのいずれかにおいて使用されるすべて周波数範囲を判断し得る。例えば、ある格子エリアは、第１および第２の周波数範囲を使用し得、別の格子エリアは、第２および第３の周波数範囲を使用し得る。従って、デバイスは、第１の周波数範囲、第２の周波数範囲、および第３の周波数範囲が潜在的に使用されており、通信のために利用可能でないと判断し得る。次いで、デバイスは、これらの周波数範囲のみを走査し得、これらの周波数範囲は、デバイスが通信することを試みている全体的な周波数範囲（例えば、６ＭＨｚ）よりもはるかに小さい（例えば、各々２００ｋＨｚ）ことがある。これらの第１の周波数範囲、第２の周波数範囲、または第３の周波数範囲のいずれかの上で信号が検出された場合、デバイスは、信号が検出された周波数範囲が利用不可能であると判断する。残りの周波数範囲は、通信のために利用可能であると判断される。従って、最初の粗いジオロケーションにより、より小さい周波数範囲を走査することが可能になり、それによりオーバーヘッドが低減される。
【００３４】
いくつかの実施形態によれば、スペクトル感知をより効率的に実現するために、ジオロケーションと、ジオロケーションに関する特定の周波数帯域のユーザに関する受信された情報とを使用する感知アルゴリズムを採用することによって、ソリューションが実現され得る。受信された情報は、所与の周波数帯域の１次ユーザに関する情報を含んでいるデータベースを照会することを含み得るが、それに限定されない。例えば、データベースは、どの周波数帯域が、特定の地理的エリア中の１次ユーザによってすでに割り振られている（すなわち、通信のために使用されている）かを示す情報を含み得る。データベースは、例えば、あるポイントから放射状に約５０メートルにわたる、いくつかの地理的エリアに関する情報を有し得る。さらに、または代替として、データベースは、いくつかの地理的エリア中での通信のために１次ユーザによって使用される（１つまたは複数の）波形に関する情報を有し得る。そのような感知アルゴリズムを採用することによって、ジオロケーションのために使用される技術は、前に必要とされた技術よりも低い精度を有し得る。データベースから受信されるかまたは与えられる情報は、感知またはジオロケーションのみを実行するよりも良好なパフォーマンスを達成するために感知によっても利用され得る。さらに、ＴＶＢＤなどの１次ユーザデバイスは、セルフォンタワー、ＷｉＦｉ（登録商標）アクセスポイントなどのように他のユーザからの信号をリッスンすることによって、粗いジオロケーション測定値を取得し得る。例えば、ＴＶＢＤは、既知のジオロケーションを有する、セルフォンタワーなどの別のデバイスと通信中であり得る。従って、ＴＶＢＤは、それが他のデバイスの通信半径内にあると判断し得る。ＴＶＢＤは、他のデバイスのセルラー識別子に基づいて他のデバイスのロケーションおよびそれの通信半径の判断を行い得る。従って、この粗いジオロケーション測定値を取得する際のオーバーヘッドは、５０メートル以内など、より高い精度をもつジオロケーションを必要とする場合よりもはるかに小さい。
【００３５】
図２は、いくつかの実施形態による、ワイヤレス通信デバイスの簡略図である。ワイヤレス通信デバイス３００は、ＴＶ帯域デバイス（ＴＶＢＤ）であり得るが、それに限定されない。ワイヤレス通信デバイス３００は、ジオロケーションモジュール３０１と、ジオロケーションアンテナ３０２と、感知モジュール３０３と、感知アンテナ３０４と、処理モジュール３０５と、ホワイトスペーストランシーバ３０７とを含む。
【００３６】
ジオロケーションモジュール３０１は、ジオロケーションアンテナ３０２によって送信および受信された信号によってワイヤレス通信デバイスの地理的ロケーションまたはジオロケーションを判断することが可能である。ジオロケーションモジュールは、全地球測位システム（ＧＰＳ）などを採用することによって、高い精度をもつジオロケーションを判断することが可能であり得る。ジオロケーションモジュール３０１はまた、地上三角測量デバイスなどのより低い精度をもつジオロケーションを判断することのみが可能であり得る。例えば、ジオロケーションモジュール３０１は、ＧＰＳ受信機、ＷＡＮ位置特定で支援されるＧＰＳ受信機、近くのＷＬＡＮアクセスポイントを感知し、そのＷＬＡＮアクセスポイントに基づくロケーションを推測すること、または任意の位置特定技術を有し得る。ジオロケーションモジュール３０１は、いくつかの環境において正確なジオロケーション判断を行うことと、他の環境においてあまり正確でないジオロケーションを行うこととが可能であり得る。例えば、信号受信強度および／またはネットワーク強度が高い間、ジオロケーションモジュール３０１は正確なジオロケーションを判断することが可能であり得、建築物または他の構造物の内部など、信号受信強度および／またはネットワーク強度が低いとき、あまり正確でないジオロケーションを判断することが可能であり得る。
【００３７】
ジオロケーションモジュール３０１は、ジオロケーションを処理モジュール３０５に通信することが可能であり得る。処理モジュールは、デバイスの能力と、ジオロケーションモジュール３０１から受信された情報とに基づいて、ジオロケーションの精度を判断することが可能であり得る。処理モジュール３０５は、データベース３０６と通信する際に、通信されたジオロケーションを使用して、そのジオロケーションに基づく、通信のための利用可能な通信チャネルまたは利用可能な周波数帯域および１次ユーザ識別情報を受信し得る。
【００３８】
処理モジュール３０５はまた、感知モジュール３０３から情報を受信し得る。感知モジュール３０３は、少なくとも１つの感知パラメータに基づいて特定の通信を感知することが可能であり得る。例えば、感知モジュールは、感知アンテナ３０４において通信信号を検出することによって、その通信信号について特定の周波数を監視し得る。感知モジュールは、感知パラメータの特定のセットについて１次ユーザ通信信号を感知するために、プロセッサによってチューニングされ得る。感知パラメータは、信号強度または送信電力と、信号ジオロケーションと、信号に関連する周波数と、特定の周波数範囲またはチャネルと、１次ユーザによって通信のために使用される波形とのうちの１つまたは複数を含み得る。そのような感知パラメータは、以下でさらに説明するデータベース３０６から受信された情報に基づき得る。例えば、感知モジュールは、感知された送信が１次ユーザに属するかどうかを判断するために、信号ジオロケーションと、信号強度の自然減衰とを使用し得る。別の実施形態では、感知モジュール３０３は、特定の周波数範囲と波形情報とを使用して、波形と同様である、特定の周波数範囲おける通信について感知し得る。これは、雑音が波形に似ている可能性が低い背景雑音を、１次ユーザデバイスの送信と区別するのを助け得る。感知モジュール３０３は、処理モジュール３０５に対する感知の結果を通信し得る。
【００３９】
処理モジュール３０５は、データベース３０６と通信することが可能であり得る。データベース３０６は、１次ユーザと、利用可能な周波数または利用可能な通信チャネルとに関する情報を含んでいる任意のデータ構造あるいはメモリユニットであり得る。１次ユーザに関する情報は、１次ユーザが通信する特定の周波数範囲（例えば、２００ｋＨｚ）に関する情報および／または１次ユーザによって通信のために使用される波形に関する情報を含み得る。データベース３０６は、通信ネットワーク中のフュージョンセンタ（fusion center）、アクセス端末または任意の通信デバイス中に常駐し得る。例えば、データベース３０６は、ワイヤレス通信デバイスがネットワークまたはインターネット接続を介して通信し得るサーバであり得る。
【００４０】
処理モジュール３０５は、ジオロケーションモジュール３０１から受信されたジオロケーション情報をデータベース３０６に送信し、そのジオロケーション情報に基づいて、１次ユーザと、利用可能な周波数または利用可能な通信チャネルとに関する情報を要求し得る。データベース３０６は、そのジオロケーション情報に基づいて、利用可能な周波数または利用可能な通信チャネルに関する情報と、１次ユーザ識別情報とを処理モジュール３０５に転送し得る。処理モジュール３０５は、データベース３０６からの受信された情報に基づいて、１次ユーザについて感知するために感知モジュール３０３の１つまたは複数のパラメータを調整し得る。感知モジュール３０３は、処理モジュール３０５に感知結果を通信し得る。処理モジュール３０５は、次いで、感知結果に基づいて１次ユーザの存在または不在を判断し、その判断に基づいて利用可能な周波数または利用可能な通信チャネル（ホワイトスペース）を判断し得る。
【００４１】
処理モジュール３０５は、判断された利用可能な周波数または利用可能な通信チャネルに関してホワイトスペーストランシーバ３０７と通信するように構成され得る。ホワイトスペーストランシーバ３０７は、処理モジュール３０５によって判断された利用可能な周波数または利用可能な通信チャネルにおいてのみ通信するようにチューニングされ得る。
【００４２】
図３は、いくつかの実施形態において使用する例示的なデータベースの図である。データベース３０６は、ジオロケーションによってカテゴリー分類される、利用可能な周波数または利用可能な通信チャネルに関する情報と、１次ユーザ識別情報とを含み得る。１次ユーザに関する情報は、ジオロケーションカテゴリー中に、１次ユーザが通信する特定の周波数範囲（例えば、２００ｋＨｚ）に関する情報および／または１次ユーザによって通信のために使用される波形に関する情報を含み得る。処理モジュール３０５は、データベース３０６中のジオロケーションのうちの少なくとも１つについての情報を受信するためにデータベース３０６を照会し得る。データベース３０６は、デバイスから要求またはクエリを受信し、サンプル領域において、利用可能な通信チャネルに関する情報と１次ユーザ情報とを送信し得る。
【００４３】
図２および図３に、いくつかの実施形態による、デバイス３００およびデータベース３０６の一実装形態を示す。ただし、モジュール３０１〜３０５および３０７は、デバイス３００の外部に常駐し得る。さらに、モジュール３０１〜３０５および３０７は、本明細書で説明する様々な実施形態の能力のすべてを有しないデバイスには不要であることがある。例えば、以下で図１０に関して説明するデータベースの照会のみを行うデバイスは、感知モジュール３０３を必要としないはずである。また、以下で説明するネットワークアシスト型方法を組み込んだデバイスは、感知モジュール３０３および／またはジオロケーションモジュール３０１を必要としないことがある。
【００４４】
例えば、処理モジュール３０５は、ロケーションＡに対応するジオロケーションを用いてデータベースを照会し得る。それに応答して、データベース３０６は、周波数帯域１〜周波数帯域Ｎに関するすべての情報、ならびに利用可能な周波数帯域の各々についての１次ユーザ識別情報Ａ１〜ＡＮを送信し得る。処理モジュール３０５はまた、特定の周波数帯域と特定のジオロケーションとについてデータベース３０６を照会し得る。それに応答して、データベース３０６は、特定のジオロケーションと特定の周波数帯域とに対応する１次ユーザ識別情報のみを送信し得る。例えば、処理モジュール３０５は、ロケーションＢに対応するジオロケーションに関する情報と、周波数帯域２に対応する周波数とについてデータベースを照会し得る。従って、データベース３０６は、１次ユーザ識別情報Ｂ１を送信し得る。処理モジュール３０５はまた、後で説明するように、低い精度を有するジオロケーションについてデータベースを複数回照会し得る。データベースは、特定の数のジオロケーション、周波数帯域、通信チャネル、あるいはそのジオロケーションおよび周波数帯域または通信チャネル情報に対応する１次ユーザ識別情報に限定されないことを、当業者なら諒解されよう。
【００４５】
１次ユーザ識別情報は、特定の周波数帯域の１つまたは複数の１次ユーザに関する情報を含み得る。１次ユーザ識別情報は、信号強度、１次ユーザジオロケーション、１次ユーザに関連する周波数、１次ユーザ通信のための特定の周波数帯域またはチャネル、あるいは１次ユーザによって通信のために使用される波形のうちの１つまたは複数を含み得る。図３には示されていないが、本システムは１次および２次ユーザネットワークに限定されないことを当業者なら諒解されよう。本システムは、所与のチャネル上に任意の数の１次ユーザを含み得る。追加および／または代替として、チャネルに対する優先順位がより高いユーザが、チャネル上での優先順位がより低いユーザによって干渉されないように、ユーザ間の優先順位の階層が適用され得る。
【００４６】
データベース３０６は、１次ユーザの感知を行うためにデータベース３０６と通信するデバイスによって更新されるように構成され得る。このプロセスについて、以下で図８〜図９を参照しながらより詳細に説明する。
【００４７】
図４は、いくつかの実施形態による、ワイヤレス通信システムの簡略図である。図４に、通信システムにおけるワイヤレス通信デバイス４０１を示す。ワイヤレス通信デバイス４０１は、４０２に示される円の中心に、判断された推定ロケーション、またはジオロケーションを有する。推定ジオロケーションは相関精度半径を有する。例えば、２００メートル以内の精度を有するジオロケーション推定値は、半径２００メートルを有する円４０２によって示される可能なロケーションエリアを与えるはずである。ワイヤレス通信デバイス４０１は、可能なロケーションエリア４０２内の任意のロケーション中にあり得る。
【００４８】
ワイヤレス通信デバイス４０１は、可能なロケーションエリア４０２内のサンプル領域に関するデータベースを照会し得る。サンプル領域は、図４中にＸによって示されている。必要とされるサンプルの数は、ワイヤレス通信デバイス４０１によって使用されるジオロケーション技術の精度、調整によって指定されるジオロケーション精度、１次ユーザの保護半径、および他のファクタなど、いくつかのファクタに依存することがある。デバイスは、１次ユーザが干渉されないことを保証するために、サンプル領域の数と、サンプリングされるべきエリアとを増加させ得る。サンプル領域は、ワイヤレス通信デバイス４０１が１次ユーザ通信に干渉し得るエリアを示す半径ｒnを有し得る。サンプル領域は、１つまたは複数の周波数帯域の１つまたは複数の１次ユーザを有し得る。１次ユーザは、特定の周波数帯域のワイヤレスマイクロフォン、ポータブル通信デバイス、または任意のライセンスオペレータであり得る。サンプル領域はまた、少なくとも１つの周波数帯域またはチャネルについて１次ユーザを有しないことがあり、それは、図４の影つき円によって示される。次に、ワイヤレス通信デバイス４０１の動作について、図５〜図９に関して説明する。
【００４９】
図５は、いくつかの実施形態による方法の実装形態のフローチャートである。一実装形態では、本方法は、２次ユーザネットワークに属するＴＶ帯域デバイス、フュージョンセンタ、基地局、および／またはｅＮＢによって行われる。ブロック５−１によって表されるように、本方法は、デバイスのジオロケーション推定値を判断する。上記で説明したように、ジオロケーション推定値は、ＧＰＳロケーションなどの正確なロケーション、またはあまり正確でないロケーション判断であり得る。ブロック５−２によって表されるように、本方法は、判断されたジオロケーションに基づいて、利用可能な通信チャネルまたは利用可能な周波数および対応する１次ユーザ識別情報を受信することによって進む。受信された利用可能な通信チャネルまたは利用可能な周波数および１次ユーザ識別情報は、図３に関して上記で説明したように、信号強度、１次ユーザジオロケーション、１次ユーザに関連する周波数、あるいは１次ユーザ通信のための特定の周波数帯域または通信チャネルのうちの１つまたは複数を含み得る。
【００５０】
ブロック５−３によって表されるように、本方法は、感知モジュールの感知パラメータを調整することによって進む。前に説明したように、感知パラメータは、信号強度または送信電力、信号ジオロケーション、信号に関連する周波数、あるいは特定の周波数範囲またはチャネルのうちの１つまたは複数を含み得る。感知は、感知モジュール３０３に関して上記で説明したように、１つまたは複数の感知パラメータを組み込んだ任意の方法で行われ得る。例えば、デバイスは、１次ユーザに関連する周波数を受信し、感知パラメータを１次ユーザに関連する周波数の周波数範囲内で感知するように調整し得る。１次ユーザとして登録されるワイヤレスマイクロフォンの例では、デバイスは、ワイヤレスマイクロフォンに関連する周波数の近傍の小さい周波数範囲（すなわち、＋／−１００ｋＨｚ）内で感知パラメータを感知するように調整し得る。ブロック５−４によって表されるように、調整されたパラメータに基づいて１次ユーザ通信信号を感知する。ワイヤレスマイクロフォンを感知する例では、１次ユーザ通信について感知されるべき周波数空間を低減することにより、高効率および低オーバーヘッドをもつスペクトル感知のパフォーマンスを生じる。ブロック５−５によって表されるように、デバイスは、感知の結果に基づいて利用可能な通信チャネルまたは周波数を判断する。１次ユーザ通信が感知された場合、デバイスは、通信チャネルまたは特定の周波数範囲が通信のために利用可能でないと判断する。１次ユーザ通信が感知されなかった場合、デバイスは、通信チャネルまたは周波数範囲がデバイスによる通信のために利用可能であると判断し得る。
【００５１】
図６は、いくつかの実施形態による方法の実装形態のフローチャートである。一実装形態では、本方法は、２次ユーザネットワークに属するＴＶ帯域デバイス、フュージョンセンタ、基地局、および／またはｅＮＢによって行われる。ブロック６−１によって表されるように、本方法は、ロケーション推定値を判断する。上記で説明したように、ロケーション推定値は、ＧＰＳロケーションなどの正確なジオロケーション、またはあまり正確でないジオロケーション判断であり得る。ブロック６−２によって表されるように、本方法は、ロケーション推定値の精度を判断する。ロケーション推定値および精度を仮定すれば、本方法は、ブロック６−３によって表されるように、デバイスのためのロケーションの可能なエリアを判断する。例えば、１００メートルの精度を仮定すれば、本方法は、デバイスがロケーション推定値から半径１００メートル以内のエリア内にあると判断し得る。
【００５２】
本方法は、ブロック６−４によって表されるように、可能なロケーションエリア内のサンプル領域において情報を要求することによって進む。サンプル領域は、可能なロケーションエリアをカバーする複数の領域であり得る。上記で説明したように、必要とされるサンプル領域の数は、デバイスによって使用されるロケーション技術の精度、調整によって指定されるロケーション精度、１次ユーザの保護半径、および他のファクタなど、いくつかのファクタに依存することがある。例えば、ＴＶＢＤ通信に関するＦＣＣ要件を満たすために、サンプル領域は、５０メートルブロック中の可能なロケーションエリアをサンプリングする数であり得る。この特徴について、以下で図１０を参照しながらより詳細に説明する。
【００５３】
ブロック６−５によって表されるように、本方法は、サンプル領域の各々についての情報源またはデータベースから情報を受信することによって進む。上記で説明したように、本情報は、サンプル領域の各々についての利用可能な通信チャネルまたは利用可能な周波数および１次ユーザ識別情報を含み得る。ブロック６−６によって表されるように、本方法は、受信した情報を使用して１次ユーザを感知することによって進む。本方法は、図５に関して上記で説明したように、感知パラメータを調整する際に、受信した情報を使用し得る。
【００５４】
本方法は、図７に表されるステップＡに進む。図７は、いくつかの実施形態による、感知の結果を使用する１つの方法の実装形態のフローチャートである。決定ブロック７−１によって表されるように、本方法は、１次ユーザ送信または通信が検出されたかどうかを判断する。１次ユーザ送信が検出された場合（Ｙブランチによって表される）、本方法は、サンプル領域のジオロケーションを判断し得る。例えば、デバイスは、特定のサンプル領域についての情報源またはデータベースからの特定の周波数を使用して、特定の周波数と特定の１次ユーザとに関する情報を受信し得る。デバイスが、受信した情報に一致する１次ユーザを感知した場合、デバイスは、デバイスのジオロケーションがサンプル領域のジオロケーションに対応すると判断し得る。いくつかの実施形態では、デバイスは、ジオロケーションを判断する際の信頼性のレベルを判断するために感知結果の精度を判断し得る。デバイスはまた、判断されたジオロケーションを確認するために、判断されたジオロケーションを囲むいくつかの他のロケーションをサンプリングし得る。
【００５５】
１次ユーザ送信または通信が検出されないとデバイスが判断した場合（Ｎブランチによって表される）、デバイスは、デバイスの可能なロケーションエリアからサンプル領域ジオロケーションを除去し得る。例えば、デバイスの可能なロケーションエリアがサンプル領域Ａ〜Ｄを包含し、本方法が、サンプル領域Ａに対応する１次ユーザが存在しないと判断した場合、本方法は、可能なロケーションエリアからサンプル領域Ａを除去し、サンプル領域Ｃ〜Ｄのみを残し得る。他の領域をサンプリングすることによって、本方法は、デバイスの判断されたジオロケーションをより高いレベルの精度に改良し得る。図７に表された本方法は、情報源またはデータベースから受信された情報がデバイスの判断されたジオロケーション推定値よりも正確であると推測する。従って、判断されたジオロケーション推定値を改良するために、１次ユーザに関する受信された情報を取り入れる１次ユーザの感知に依拠し得る。
【００５６】
図８は、いくつかの実施形態による方法の実装形態のフローチャートである。一実装形態では、本方法は、２次ユーザネットワークに属するＴＶ帯域デバイス、フュージョンセンタ、基地局、および／またはｅＮＢによって行われる。ブロック８−１によって表されるように、本方法は、デバイスの近似ロケーションを判断する。判断されたロケーションまたはジオロケーションは、５０メートル程度の精度など、低い精度レベルを有し得る。ブロック８−２によって表されるように、本方法は、デバイスの近似ロケーション内の領域において情報を要求する。その領域は、デバイスが位置し得るエリア全体をカバーするように選択され得る。ブロック８−３によって表されるように、本方法は、デバイスの近似ロケーション内の各領域についての情報源またはデータベースから情報を受信する。上記で説明したように、本方法は、デバイスの近似ロケーション内の複数のサンプル領域を判断し、サンプル領域の各々に関する情報を要求し得る。その要求は、サンプル領域の各々に関する情報を含んでいるデータベースに対する１つまたは複数のクエリによって行われ得る。ブロック８−４によって表されるように、本方法は、情報源またはデータベースからの受信した情報を使用して１次ユーザを感知する。例えば、ＴＶ帯域デバイスは、サンプル領域のいずれか中の１つまたは複数の１次ユーザに割り振られているとして示された１つまたは複数の通信チャネル上の１つまたは複数の１次ユーザによる通信について感知し得る。感知は、感知モジュール３０３に関して上記で説明したように行われ得る。本方法は、次いで、図９に表されるステップＢに進み得る。
【００５７】
図９は、いくつかの実施形態による方法の実装形態のフローチャートである。図９に、図８のブロック８−４から生成された感知結果を使用する１つの方法を示す。決定ブロック９−１によって表されるように、本方法は、１次ユーザ送信または通信が検出されたかどうかを判断する。
【００５８】
１次ユーザ送信が検出された場合（Ｙブランチによって表される）、本方法は、ブロック９−２によって表されるように、サンプル領域中に１次ユーザが存在すると判断する。本方法は、次いで、ブロック９−３によって表されるように、１次ユーザ送信に干渉しないように通信を調整することによって進む。通信を調整することは、特定の１次ユーザにライセンスが与えられた地理的エリア中で周波数帯域を空けることを含み得る。代替的に、デバイスは、ビームフォーミングアンテナを使用して、１次ユーザに干渉することを回避し得る。本開示から、２次ユーザデバイスによって任意の数の是正措置が取られ得ることを当業者なら諒解されよう。
【００５９】
１次ユーザ送信が検出されなかった場合（Ｎブランチによって表される）、本方法は、ブロック９−４によって表されるように、サンプル領域中に１次ユーザが不在であると判断する。本方法は、次いで、ブロック９−５によって表されるように、周波数帯域または通信チャネルを、利用可能な周波数帯域または利用可能な通信チャネルのリストに追加することによって進む。従って、ＴＶＢＤは、利用可能な周波数帯域上で通信し得る。場合によっては、本方法は、次いで、ブロック９−６によって表されるように、１次ユーザに関する情報源またはデータベースにおける情報を更新する。例えば、１次ユーザが所与の通信チャネル中で常に通信しているが、１次ユーザがデバイスによって感知されず、デバイスのロケーションがその特定のジオロケーションについて正確に判断されることを、１次ユーザに関する受信された情報が示した場合、デバイスは、１次ユーザに関する情報が無効であることを検出し得る。デバイスは、次いで、１次ユーザに関する更新された情報を送信し得る。いくつかのデバイスは、それらの感知結果に基づいてデータベースまたは情報源を更新するように構成され得る。従って、データベースまたは情報源は常に更新され、それにより情報の精度が高まり得る。
【００６０】
図９に表されたブロック９−６は、判断されたジオロケーションおよび感知動作がデータベースまたは情報源から受信された情報よりも正確であると推測する。データベースまたは情報源は、正確なジオロケーション判断能力と感知能力とを有するいくつかのデバイスのみがデータベースまたは情報源中の情報を更新することを可能にするように構成され得る。
【００６１】
図１０は、ワイヤレス通信システムの簡略図である。図１０に通信デバイス１００１を示す。通信デバイスは、１００２によって示される可能なロケーションエリア内にジオロケーションを有する。可能なロケーションエリア１００２は、判断された推定ロケーションと、ジオロケーションモジュールの精度とに基づいて判断される。ブロック１００４は複数のサンプル領域を表す。サンプル領域は、図１０に示すように、ｄの長さおよび幅を有し得るが、それに限定されない。ブロック１００４の形状および面積は可変であり得ることを当業者なら諒解されよう。例えば、サンプル領域１００４の各々は、サンプリングされるべき特定のロケーションを中心とする半径を有する円に対応し得る。
【００６２】
サンプル領域のエリアは、情報源またはデータベースにアクセスするために必要とされるエリアに対応し得る。エリアはまた、必要とされる調整によって判断され得る。例えば、ＴＶＢＤの場合、エリアは、５０メートルの格子間隔ｄに対応し得る。デバイスは、可能なロケーションエリア１００２内のすべての領域についてデータベースを照会することによって、領域をサンプリングし得る。クエリは、デバイスが電源投入されるとすべて行われ得、デバイスの動作中に時間とともに分配され得る。例えば、毎日のアクセスを必要とするデバイスの場合、デバイスは、各クエリを用いて異なるサンプル領域１００４を指定することによって、より頻繁にデータベースを照会し得る。照会動作の頻度は、すべてのサンプル領域１００４が２４時間の時間期間内でカバーされるように構成され得る。サンプル領域１００４に関する情報を照会または要求する頻度は、任意の数のアクセス周期を有するデバイス、または可変のアクセス周期を有するデバイスの必要を満たすように構成され得る。
【００６３】
デバイスは、各サンプル領域１００４についての利用可能な通信チャネルおよび１次ユーザ情報のリストを受信し得る。デバイスは、利用可能な通信チャネルのみが、すべてのサンプル領域１００４に共通であるチャネルに対応すると判断し得る。例えば、各サンプル領域についての受信された情報が、通信チャネルＡが通信のために利用可能であることを示す場合、デバイスは、チャネルＡが利用可能であると判断し得る。しかしながら、１つのサンプル領域１００４についての受信された情報が、チャネルＡが利用可能でないことを示す場合、デバイスは、チャネルＡが通信チャネルとして利用可能でないと判断する。
【００６４】
図１１は、本明細書の教示が実装され得る、何人かのユーザをサポートするように構成されたワイヤレス通信システム１１００の簡略図である。システム１１００は、例えば、マクロセル１１０２Ａ〜１１０２Ｇなど、複数のセル１１０２の通信を可能にし、各セルは、対応するアクセスポイント１１０４（例えば、アクセスポイント１１０４Ａ〜１１０４Ｇ）によってサービスされる。各アクセスポイント１１０４は、各セル１１０２についての利用可能な通信チャネルと１次ユーザとに関する情報を含み得る。各アクセスポイント１１０４はまた、上記で説明したように、利用可能な通信チャネルに対応するロケーション情報を有するデータベースを含んでいることがあり、その情報を各アクセス端末１１０６と他のアクセスポイント１１０４とに通信し得る。アクセス端末１１０６（例えば、アクセス端末１１０６Ａ〜１１０６Ｌ）は、時間とともにシステム全体にわたって様々なロケーションに分散され得る。各アクセス端末１１０６は、例えば、アクセス端末１１０６がアクティブであるかどうか、およびアクセス端末１１０６がソフトハンドオフ中であるかどうかに応じて、所与の瞬間に順方向リンク（ＦＬ）および／または逆方向リンク（ＲＬ）上で１つまたは複数のアクセスポイント１１０４と通信し得る。アクセス端末１１０６は、ワイヤレスＬＡＮデバイス、セルラー電話、ＰＤＡ、またはワイヤレスマイクロフォンなど、任意のワイヤレス通信デバイスを含み得る。ワイヤレス通信システム１１００は大きい地理的領域にわたってサービスを提供し得る。例えば、マクロセル１１０２Ａ〜１１０２Ｇは、人口密度の高い都市近隣における数ブロックまたは地方環境における数マイルをカバーし得る。
【００６５】
比較的小さい地理的エリアを有するネットワークでは、デバイスは、利用可能な通信チャネルを受信するためにネットワークアシスト型技法を採用し得る。デバイスは、利用可能な通信チャネルを判断するために、ネットワーク中の別のデバイスのジオロケーション能力および／または感知能力に依拠し得る。例えば、図１１を参照すると、第１のデバイスまたはアクセス端末１１０６Ａは、判断されたジオロケーションと、判断されたジオロケーションに関する判断された精度とを有するアクセスポイント１１０４Ａと通信し得る。アクセス端末１１０６Ａはジオロケーション能力または感知能力を有しないことがある。アクセス端末１１０６Ａは、アクセスポイント１１０４Ａへの信頼できる通信リンクを有し得る。アクセス端末１１０６Ａがアクセスポイント１１０４Ａとの信頼できる通信リンクを有するので、アクセス端末１１０６Ａとアクセスポイント１１０４Ａとの間の距離は制限されると推測され得る。すなわち、アクセス端末１１０６Ａおよび／またはアクセスポイント１１０４Ａの通信能力が既知となり得るので、アクセス端末１１０６Ａとアクセスポイント１１０４Ａとの間の距離は、アクセス端末１１０６Ａとアクセスポイント１１０４Ａとの間の信頼できる接続を可能にする距離内でなければならないと推測され得る。アクセスポイント１１０４Ａは、判断されたジオロケーションと、判断されたジオロケーションの判断された精度と、アクセスポイント１１０４Ａへの信頼できる接続を有するアクセス端末１１０６Ａまでの最大距離とに基づいて、複数のサンプル領域を判断し得る。利用可能な通信チャネルを判断すること、１次ユーザを感知すること、および／または判断されたジオロケーションを改良することに関して上記で説明した方法のいずれかが、アクセス端末１１０６Ａに代わってアクセスポイント１１０４Ａによって行われ得る。
【００６６】
追加または代替として、アクセス端末１１０６Ａは、通信ネットワーク中の任意の他のアクセス端末１１０６またはアクセスポイント１１０４との通信リンクの信頼性を測定し得る。アクセス端末１１０６Ａは、測定された信頼性に基づいてアクセス端末１１０６またはアクセスポイント１１０４をランク付けし得る。アクセス端末１１０６Ａは、そのランク付けに基づいて、高い信頼性を有するアクセス端末１１０６またはアクセスポイント１１０４を識別し得る。例えば、アクセス端末１１０６Ａは、アクセスポイント１１０４Ａを最も信頼できる通信リンクを有するノードとして識別し得る。アクセス端末１１０６Ａは、アクセスポイント１１０４Ａから、判断されたジオロケーションと、判断されたジオロケーションの判断された精度とを受信し得る。アクセス端末１１０６Ａは、次いで、アクセスポイント１１０４Ａに関する情報に基づいていくつかのサンプル領域を判断し得る。従って、アクセス端末は、上記で説明したように、共通の利用可能な通信チャネルを判断するために、サンプル領域の各々中の利用可能な通信チャネルに関する情報を要求する方法を行い得る。
【００６７】
代替的に、アクセス端末１１０６Ａは、最も信頼できる通信リンクを有するノードに関する識別情報を、通信ネットワーク中のいくつかの通信ノードについての、判断されたジオロケーションと、判断されたジオロケーションの精度とを含んでいる情報源に送信し得る。例えば、アクセス端末１１０６は、最も信頼できる通信リンクを有するノードの識別情報を事業者所有のプロキシデータベースと通信し得る。プロキシデータベースは、識別されたノードの推定または測定されたカバレージエリアに基づいて、識別情報を、識別されたノードのジオロケーションとジオロケーションの精度とに変換し得る。プロキシデータベースは、ジオロケーション情報と精度情報とをアクセス端末１１０６に通信し得る。アクセス端末は、次いで、受信したジオロケーション情報と精度情報とを使用して、上記で説明したように、共通の利用可能な通信チャネルを判断するために、判断されたサンプル領域についての利用可能な通信チャネルに関する情報を要求し得る。
【００６８】
代替的に、プロキシデータベースは、ジオロケーション情報と精度情報とをアクセス端末１１６０に送信し得ない。代わりに、プロキシデータベースは、アクセス端末１１６０に代わって共通の利用可能な通信チャネルを判断するために、判断されたサンプル領域についての利用可能な通信チャネルに関する情報を要求し得る。プロキシデータベースは、情報源への要求の数を低減するために、要求に対する応答をキャッシュするように構成され得る。キャッシュされた結果は、所定の時間期間の後にクリアされ得る。例えば、プロキシデータベースは、マスタデータベースまたはグローバルデータベースへのクエリの数を低減するために、マスタデータベースまたはグローバルデータベースと頻繁に同期される並列データベースであるように構成され得る。
【００６９】
図１２は、１つまたは複数のフェムトノードがネットワーク環境内に展開され、本明細書の教示が実装され得る、例示的な通信システム１２００の簡略図である。特に、システム１２００は、比較的小規模のネットワーク環境中に（例えば、１つまたは複数のユーザ住居１２３０中に）設置された複数のフェムトノード１２１０（例えば、フェムトノード１２１０Ａおよび１２１０Ｂ）を含む。各フェムトノード１２１０は、ＤＳＬルータ、ケーブルモデム、ワイヤレスリンク、または他の接続手段（図示せず）を介して、ワイドエリアネットワーク１２４０（例えば、インターネット）とモバイル事業者コアネットワーク１２５０とに結合され得る。以下で説明するように、各フェムトノード１２１０は、関連するアクセス端末１２２０（例えば、アクセス端末１２２０Ａ）、および、随意に、外来アクセス端末１２２０（例えば、アクセス端末１２２０Ｂ）をサービスするように構成され得る。言い換えれば、フェムトノード１２１０へのアクセスが制限され得、それによって、所与のアクセス端末１２２０は、指定された（１つまたは複数の）（例えば、ホーム）フェムトノード１２１０のセットによってサービスされ得るが、指定されていないフェムトノード１２１０（例えば、ネイバーのフェムトノード１２１０）によってはサービスされ得ない。
【００７０】
ホームフェムトノード１２１０に対応するアクセス端末１２２０Ａは、１次ユーザとして登録され得、外来アクセス端末１２２０Ｂは、通信チャネルの２次ユーザとして登録され得る。各フェムトノード１２１０は、上記で説明したデータベースの形態の、利用可能な通信チャネルと１次ユーザとに関する情報を含んでいるかまたは要求することがある。例えば、フェムトノード１２１０Ａは、複数の通信チャネルと、そのチャネルのうちの少なくとも１つについて１次ユーザとして登録された関連するホームアクセス端末１２２０Ａとに関する情報を含んでいることがある。外来アクセス端末１２２０Ｂは、１次ユーザに干渉しないようにおよび／または判断されたジオロケーションを改良するように、少なくとも１つの利用可能な通信チャネルを判断するために、フェムトノード１２１０と通信することに関して上記で説明した方法のうちのいずれかを行い得る。例えば、外来アクセス端末１２２０Ｂは、それのジオロケーションをより正確に判断するために、上記で図６〜図７の方法に関して説明したように、判断されたジオロケーションおよび感知方法を使用して、１つまたは複数のフェムトノード１２１０を照会し得る。外来アクセス端末１２２０Ｂはまた、少なくとも１つの利用可能な通信チャネルを判断するために、１つまたは複数のフェムトノード１２１０に情報を要求するために、図１０に関して説明したジオロケーション専用方法を使用し得る。さらに、グローバルデータベースは、システム中の各フェムトノード１２１０に対応するすべての情報を有するモバイル事業者ネットワーク１２５０中にも常駐し得る。グローバルデータベースは、マクロセルアクセスポイント１２６０とワイドエリアネットワーク１２４０との中にも常駐し得る。最後に、グローバルデータベースは、各フェムトノード１２１０および／または各アクセス端末１２２０がネットワーク接続またはインターネットを介してデータベースにアクセスし得るように、サードパーティによって維持されるサーバ中にも常駐し得る。アクセス端末１２２０は、上記で図５〜図１０に関して説明した方法のうちのいずれかを行うためにデータベースを照会するように構成され得る。
【００７１】
図１３は、いくつかのトラッキングエリア１３０２（またはルーティングエリアまたはロケーションエリア）が画定されたカバレージマップ１３００の一例を示し、そのエリアの各々がいくつかのマクロカバレージエリア１３０４を含む、簡略図である。ここで、トラッキングエリア１３０２Ａ、１３０２Ｂ、および１３０２Ｃに関連するカバレージのエリアは太線によって示され、マクロカバレージエリア１３０４は六角形によって表される。トラッキングエリア１３０２はフェムトカバレージエリア１３０６をも含む。この例では、フェムトカバレージエリア１３０６（例えば、フェムトカバレージエリア１３０６Ｃ）の各々は、マクロカバレージエリア１３０４（例えば、マクロカバレージエリア１３０４Ｂ）内に示される。但し、フェムトカバレージエリア１３０６は、完全にマクロカバレージエリア１３０４内にあるとは限らないことを諒解されたい。実際には、多数のフェムトカバレージエリア１３０６を所与のトラッキングエリア１３０２またはマクロカバレージエリア１３０４とともに画定し得る。また、１つまたは複数のピコカバレージエリア（図示せず）を所与のトラッキングエリア１３０２またはマクロカバレージエリア１３０４内に画定し得る。
【００７２】
再び図１２を参照すると、フェムトノード１２１０の所有者は、例えば、３Ｇモバイルサービスなど、モバイル事業者コアネットワーク１２５０を介して提供されるモバイルサービスに加入し得る。さらに、アクセス端末１２２０は、マクロ環境と、より小規模の（例えば、宅内）ネットワーク環境の両方で動作することが可能であり得る。言い換えれば、アクセス端末１２２０の現在のロケーションに応じて、アクセス端末１２２０は、モバイル事業者コアネットワーク１２５０に関連付けられたマクロセルアクセスポイント１２６０によって、または、フェムトノード１２１０のセットのいずれか１つ（例えば、対応するユーザ住居１２３０内に常駐するフェムトノード１２１０Ａおよび１２１０Ｂ）によってサービスされ得る。例えば、加入者は、自宅の外にいるときは標準のマクロアクセスポイント（例えば、アクセスポイント１２６０）によってサービスされ、自宅にいるときはフェムトノード（例えば、ノード１２１０Ａ）によってサービスされる。ここで、フェムトノード１２１０は既存のアクセス端末１２２０と後方互換性があり得ることを諒解されたい。
【００７３】
フェムトノード１２１０は、単一の周波数上に展開されるか、または代替として、複数の周波数上に展開され得る。特定の構成に応じて、単一の周波数、あるいは複数の周波数のうちの１つまたは複数は、マクロアクセスポイント（例えば、アクセスポイント１２６０）によって使用される１つまたは複数の周波数と重なることがある。
【００７４】
いくつかの態様では、アクセス端末１２２０は、そのような接続性が可能であるときはいつでも、好適なフェムトノード（例えば、アクセス端末１２２０のホームフェムトノード）に接続するように構成され得る。例えば、アクセス端末１２２０がユーザの住居１２３０内にあるときはいつでも、アクセス端末１２２０がホームフェムトノード１２１０のみと通信することが望ましいことがある。データベースは、通信チャネルへの不要なアクセスを制限するために、２次ユーザとして好適なフェムトノードに関連するジオロケーションを有するすべてのユーザを登録し得る。例えば、マクロセルアクセスポイント１２６０は、アクセス端末１２２０が、一方が利用可能なときはいつでも、好適なフェムトノードの通信チャネルを使用することを必要とし得る。従って、ホームアクセス端末１２２０Ａなどのアクセス端末は、エリア１２３０内のジオロケーション中に常駐している間、好適なフェムトノード、すなわち１２１０Ａの通信チャネルに制限され得る。アクセス端末１２２０は、エリア１２３０内のジオロケーション中に常駐している間、好適なフェムトノードに関連しない利用可能な通信チャネルにアクセスするために、上記で説明した方法のうちのいずれかを行い得る。
【００７５】
いくつかの態様では、フェムトノードが制限され得る。例えば、所与のフェムトノードは、いくつかのサービスをいくつかのアクセス端末のみに提供し得る。いわわゆる制限（または限定）された関連付けを用いた展開では、所与のアクセス端末は、マクロセルモバイルネットワークと、フェムトノードの定義されたセット（例えば、対応するユーザ住居１２３０内に常駐するフェムトノード１２１０）とによってのみサービスされ得る。いくつかの実装形態では、少なくとも１つのノードに、シグナリング、データアクセス、登録、ページング、またはサービスのうちの少なくとも１つを与えないように、ノードが制限され得る。その制限は、上記で説明したように所与の通信チャネルについての１次および２次ユーザ指定としてデータベース内に登録され得る。２次ユーザまたはアクセス端末は、利用可能な通信チャネルにアクセスするために上記で説明した方法を行い得る。
【００７６】
いくつかの態様では、（限定加入者グループホームノードＢと呼ばれることもある）制限フェムトノードは、制限されたプロビジョニングされたアクセス端末のセットにサービスを提供するノードである。このセットは、必要に応じて一時的にまたは永続的に拡大され得る。いくつかの態様では、限定加入者グループ（ＣＳＧ）は、アクセス端末の共通のアクセス制御リストを共有するアクセスポイント（例えば、フェムトノード）のセットとして定義され得る。制限されたアクセスポイントは、複数のアクセス端末がそれに接続することを可能にするＣＳＧを含み得る。単一のアクセス端末は、複数の制限されたアクセスポイントに接続する能力を有し得る。領域中のすべてのフェムトノード（または、すべての制限フェムトノード）が動作するチャネルを、フェムトチャネルと呼ぶことがある。
【００７７】
従って、所与のフェムトノードと所与のアクセス端末との間に様々な関係が存在し得る。例えば、アクセス端末の観点から、開いたフェムトノードは、制限された関連付けをもたない（例えば、フェムトノードが任意のアクセス端末へのアクセスを許す）フェムトノードを指すことがある。制限フェムトノードは、何らかの形で制限された（例えば、関連付けおよび／または登録について制限された）フェムトノードを指すことがある。ホームフェムトノードは、アクセス端末がアクセスし、その上で動作することを許可される（例えば、永続的なアクセスが、１つまたは複数のアクセス端末の定義されたセットに与えられる）フェムトノードを指すことがある。ゲストフェムトノードは、アクセス端末がアクセスすること、またはその上で動作することを一時的に許可されるフェムトノードを指すことがある。外来フェムトノードは、おそらく非常事態（例えば、９１１番）を除いて、アクセス端末がアクセスすること、またはその上で動作することを許可されないフェムトノードを指すことがある。
【００７８】
制限されたフェムトノードの観点から、ホームアクセス端末は、制限されたフェムトノードへのアクセスを許可される（例えば、アクセス端末は、フェムトノードへの永続的なアクセスを有する）アクセス端末を指すことがあり、１次ユーザとして指定され得る。ゲストアクセス端末は、（例えば、最終期限、使用の時間、バイト、接続カウント、または何らかの他の１つまたは複数の基準に基づいて限定される）制限されたフェムトノードへの一時的アクセスをもつアクセス端末を指すことがあり、２次ユーザとして指定され得る。外来アクセス端末は、例えば、おそらく９１１番などの非常事態を除いて、制限フェムトノードにアクセスする許可を有していないアクセス端末（例えば、制限フェムトノードに登録する証明書または許可を有していないアクセス端末）を指すことがあり、３次ユーザとして指定され得る。
【００７９】
便宜のために、本明細書の開示では、フェムトノードの文脈で様々な機能について説明する。ただし、ピコノードは、同じまたは同様の機能をより大きいカバレージエリアに与え得ることを諒解されたい。例えば、所与のアクセス端末に対して、ピコノードが制限されたり、ホームピコノードが定義されたりなどし得る。
【００８０】
ワイヤレス多元接続通信システムは、複数のワイヤレスアクセス端末のための通信を同時にサポートし得る。上述のように、各端末は、順方向リンクおよび逆方向リンク上での送信を介して１つまたは複数の基地局と通信し得る。順方向リンク（またはダウンリンク）は基地局から端末への通信リンクを指し、逆方向リンク（またはアップリンク）は端末から基地局への通信リンクを指す。この通信リンクは、単入力単出力システム、多入力多出力（ＭＩＭＯ）システム、または何らかの他のタイプのシステムを介して確立され得る。
【００８１】
ＭＩＭＯシステムは、データ送信のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生じる追加の次元数が利用された場合、ＭＩＭＯシステムは改善されたパフォーマンス（例えば、より高いスループットおよび／またはより大きい信頼性）を与え得る。
【００８２】
ＭＩＭＯシステムは時分割複信（ＴＤＤ）と周波数分割複信（ＦＤＤ）とをサポートし得る。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【００８３】
本明細書の教示は、少なくとも１つの他のノードと通信するための様々な構成要素を採用するノード（例えば、デバイス）に組み込まれ得る。図１４に、ノード間の通信を可能にするために採用され得るいくつかの例示的な構成要素を示す。詳細には、図１４は、ＭＩＭＯシステム１４００の第１のワイヤレスデバイス１４１０（例えば、アクセスポイント）および第２のワイヤレスデバイス１４５０（例えば、アクセス端末）の簡略ブロック図である。第１のデバイス１４１０において、いくつかのデータストリームのトラフィックデータが、データソース１４１２から送信（ＴＸ）データプロセッサ１４１４に与えられる。
【００８４】
いくつかの態様では、各データストリームは、該当の送信アンテナを介して送信される。ＴＸデータプロセッサ１４１４は、コード化データを与えるために、各データストリームのトラフィックデータを、そのデータストリーム用に選択された特定のコーディング方式に基づいてフォーマットし、コーディングし、インターリーブする。
【００８５】
各データストリームの符号化データは、ＯＦＤＭ技法を使用してパイロットデータで多重化され得る。パイロットデータは、典型的には、知られている方法で処理され、チャネル応答を推定するために受信機システムにおいて使用され得る、既知のデータパターンである。次いで、各データストリームの多重化されたパイロットデータおよび符号化データは、変調シンボルを与えるために、そのデータストリーム用に選択された特定の変調方式（例えば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ１４３０によって実行される命令によって判断され得る。データメモリ１４３２は、プロセッサ１４３０またはデバイス１４１０の他の構成要素によって使用されるプログラムコード、データ、および他の情報を記憶し得る。
【００８６】
次いで、すべてのデータストリームの変調シンボルがＴＸ  ＭＩＭＯプロセッサ１４２０に与えられ、ＴＸ  ＭＩＭＯプロセッサ１４２０はさらに（例えば、ＯＦＤＭの場合）その変調シンボルを処理し得る。ＴＸ  ＭＩＭＯプロセッサ１４２０は、次いで、ＮT個の変調シンボルストリームを、ＮT個のトランシーバ（ＸＣＶＲ）１４２２Ａ〜１４２２Ｔに与える。いくつかの態様では、ＴＸ  ＭＩＭＯプロセッサ１４２０は、データストリームのシンボルと、シンボルの送信元のアンテナとにビームフォーミング重みを付加する。
【００８７】
各トランシーバ１４２２は、該当のシンボルストリームを受信し、処理して、１つまたは複数のアナログ信号を与え、さらに、それらのアナログ信号を調整（例えば、増幅、フィルタ処理、およびアップコンバート）して、ＭＩＭＯチャネルを介して送信するのに適した被変調信号を与える。次いで、トランシーバ１４２２Ａ〜１４２２ＴからのＮT個の被変調信号は、それぞれＮT個のアンテナ１４２４Ａ〜１４２４Ｔから送信される。
【００８８】
第２のデバイス１４５０において、送信された被変調信号はＮR個のアンテナ１４５２Ａ〜１４５２Ｒによって受信され、各アンテナ１４５２からの受信信号は、該当のトランシーバ（ＸＣＶＲ）１４５４Ａ〜１４５４Ｒに与えられる。各トランシーバ１４５４は、該当の受信信号を調整（例えば、フィルタリング、増幅、およびダウンコンバート）し、調整された信号をデジタル化して、サンプルを与え、さらにそれらのサンプルを処理して、対応する「受信」シンボルストリームを与える。
【００８９】
次いで、受信（ＲＸ）データプロセッサ１４６０は、特定の受信機処理技法に基づいてＮR個のトランシーバ１４５４からＮR個の受信シンボルストリームを受信し、処理して、ＮT個の「検出」シンボルストリームを与える。次いで、ＲＸデータプロセッサ１４６０は、各検出シンボルストリームを復調し、デインターリーブし、復号して、データストリームのトラフィックデータを復元する。ＲＸデータプロセッサ１４６０による処理は、デバイス１４１０におけるＴＸ  ＭＩＭＯプロセッサ１４２０およびＴＸデータプロセッサ１４１４によって行われる処理を補足するものである。
【００９０】
プロセッサ１４７０は、どのプリコーディング行列を使用すべきかを周期的に判断する（後述）。プロセッサ１４７０は、行列インデックス部とランク値部とを備える逆方向リンクメッセージを作成する。データメモリ１４７２は、プロセッサ１４７０または第２のデバイス１４５０の他の構成要素によって使用されるプログラムコード、データ、および他の情報を記憶し得る。
【００９１】
逆方向リンクメッセージは、通信リンクおよび／または受信データストリームに関する様々なタイプの情報を備え得る。逆方向リンクメッセージは、次いで、データソース１４３６からいくつかのデータストリームのトラフィックデータをも受信するＴＸデータプロセッサ１４３８によって処理され、変調器１４８０によって変調され、トランシーバ１４５４Ａ〜１４５４Ｒによって調整され、デバイス１４１０に戻される。
【００９２】
デバイス１４１０において、第２のデバイス１４５０からの被変調信号は、アンテナ１４２４によって受信され、トランシーバ１４２２によって調整され、復調器（ＤＥＭＯＤ）１４４０によって復調され、ＲＸデータプロセッサ１４４２によって処理されて、第２のデバイス１４５０によって送信された逆方向リンクメッセージが抽出される。次いで、プロセッサ１４３０は、ビームフォーミング重みを判断するためにどのプリコーディング行列を使用すべきかを判断し、次いで、抽出されたメッセージを処理する。
【００９３】
図１４はまた、通信構成要素が、本明細書で教示するアクセス制御動作を行う１つまたは複数の構成要素を含み得ることを示す。例えば、アクセス制御構成要素１４９０は、デバイス１４１０のプロセッサ１４３０および／または他の構成要素と協働して、本明細書で教示する別のデバイス（例えば、デバイス１４５０）との間で信号を送信／受信し得る。同様に、アクセス制御構成要素１４９２は、プロセッサ１４７０および／またはデバイス１４５０の他の構成要素と協働して、別のデバイス（例えば、デバイス１４１０）との間で信号を送信／受信し得る。各デバイス１４１０および１４５０について、説明する構成要素のうちの２つ以上の機能が単一の構成要素によって与えられ得ることを諒解されたい。例えば、単一の処理構成要素がアクセス制御構成要素１４９０とプロセッサ１４３０との機能を与え得、また、単一の処理構成要素がアクセス制御構成要素１４９２とプロセッサ１４７０との機能を与え得る。
【００９４】
図１５は、いくつかの実施形態による、処理モジュールの構成要素のいくつかの例示的な態様の簡略ブロック図である。図示のように、処理モジュール１５００は、情報受信モジュール１５０１と、感知パラメータ調整モジュール１５０２と、利用可能な通信チャネル判断モジュール１５０３と、情報更新モジュール１５０４と、情報要求モジュール１５０５と、ロケーション領域識別モジュール１５０６と、ロケーション精度判断モジュール１５０７と、ロケーション調整モジュール１５０８とを備え得る。情報受信モジュール１５０１は、上記で説明したように情報源から情報を受信する。感知パラメータ調整モジュール１５０２は、情報受信モジュール１５０１に結合され、感知モジュールの少なくとも１つの感知パラメータを調整するように構成され得る。利用可能な通信チャネル判断モジュール１５０３は、上記で説明したように、利用可能な通信チャネルを判断するために、感知モジュールから、および情報受信モジュール１５０１から情報を受信し得る。情報更新モジュール１５０４は、利用可能な通信チャネルモジュール１５０３に結合され得、上記で説明したように、更新された利用可能な通信チャネルまたは１次ユーザ情報を情報源に送信し得る。ロケーション精度判断モジュール１５０７は、上記で説明したように、ジオロケーションモジュールから受信された、判断されたジオロケーションのロケーション精度を判断し得る。ロケーション領域識別モジュール１５０６は、ロケーション精度判断モジュール１５０７に結合され得、上記で説明したように、精度とジオロケーション情報とに基づいてサンプル領域を判断し得る。情報要求モジュール１５０５は、ロケーション領域識別モジュール１５０６に結合され得、識別されたサンプル領域に関する情報源に情報を要求し得る。ロケーション調整モジュール１５０８は、ロケーション領域識別モジュール１５０６に結合され得、上記で説明したように、判断されたジオロケーションを改良するために感知モジュールから情報を受信し得る。
【００９５】
図１５に、いくつかの実施形態による処理モジュール１５００の一実装形態を示す。但し、モジュール１５０１〜１５０８は、デバイスの他の構成要素中に常駐し得る。さらに、モジュール１５０１〜１５０８は、上記で説明した様々な実施形態の能力のすべてを有するとは限らないデバイスには不要であることがある。
【００９６】
本明細書の教示は、様々な装置（例えば、ノード）に組み込まれ得る（例えば、装置内に実装され得る、または装置によって実行され得る）。いくつかの態様では、本明細書の教示に従って実装されるノード（例えば、ワイヤレスノード）はアクセスポイントまたはアクセス端末を備え得る。
【００９７】
例えば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備え得る。従って、本明細書で教示する１つまたは複数の態様は、電話（例えば、セルラー電話またはスマートフォン）、コンピュータ（例えば、ラップトップ）、ポータブル通信デバイス、ポータブルコンピューティングデバイス（例えば、個人情報端末）、エンターテインメントデバイス（例えば、音楽デバイス、ビデオデバイス、または衛星ラジオ）、全地球測位システムデバイス、またはワイヤレス媒体を介して通信するように構成された他の好適なデバイスに組み込まれ得る。
【００９８】
アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、または何らかの他の同様の用語を備えるか、それらのいずれかとして実装されるか、あるいはそれらのいずれかとして知られることがある。
【００９９】
いくつかの態様では、ノード（例えば、アクセスポイント）は、通信システムのためのアクセスノードを備え得る。そのようなアクセスノードは、例えば、ネットワークへのワイヤードまたはワイヤレス通信リンクを介した、ネットワーク（例えば、インターネットまたはセルラーネットワークなど、ワイドエリアネットワーク）のための、またはネットワークへの接続性を与え得る。従って、アクセスノードは、別のノード（例えば、アクセス端末）がネットワークまたは何らかの他の機能にアクセスすることを可能にし得る。さらに、一方または両方のノードはポータブルであり得るか、場合によっては比較的非ポータブルであり得ることを諒解されたい。
【０１００】
また、ワイヤレスノードは、非ワイヤレス方式で（例えば、ワイヤード接続を介して）情報を送信および／または受信することが可能であり得ることを諒解されたい。従って、本明細書で説明する受信機および送信機は、非ワイヤレス媒体を介して通信するために適切な通信インターフェース構成要素（例えば、電気的または光学的インターフェース構成要素）を含み得る。
【０１０１】
ワイヤレスノードは、好適なワイヤレス通信技術に基づくあるいは好適なワイヤレス通信技術をサポートする１つまたは複数のワイヤレス通信リンクを介して通信し得る。例えば、いくつかの態様では、ワイヤレスノードはネットワークに関連し得る。いくつかの態様では、ネットワークはローカルエリアネットワークまたはワイドエリアネットワークを備え得る。ワイヤレスデバイスは、本明細書で説明するような様々なワイヤレス通信技術、プロトコル、または規格（例えば、ＣＤＭＡ、ＴＤＭＡ、ＯＦＤＭ、ＯＦＤＭＡ、ＷｉＭＡＸ（登録商標）、Ｗｉ−Ｆｉ（登録商標）など）のうちの１つまたは複数をサポートあるいは使用し得る。同様に、ワイヤレスノードは、様々な対応する変調方式または多重化方式のうちの１つまたは複数をサポートあるいは使用し得る。従って、ワイヤレスノードは、上記または他のワイヤレス通信技術を使用して１つまたは複数のワイヤレス通信リンクを確立し、それを介して通信するために適切な構成要素（例えば、エアインターフェース）を含み得る。例えば、ワイヤレスノードは、ワイヤレス媒体上の通信を可能にする様々な構成要素（例えば、信号生成器および信号処理器）を含み得る関連する送信機構成要素および受信機構成要素をもつワイヤレストランシーバを備え得る。
【０１０２】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用され得る。従って、第１および第２の要素への言及は、そこで２つの要素のみが採用され得ること、または第１の要素が何らかの方法で第２の要素に先行しなければならないことを意味するものではない。また、別段の規定がない限り、要素のセットは１つまたは複数の要素を備え得る。
【０１０３】
情報および信号は多種多様な技術および技法のいずれかを使用して表され得ることを、当業者なら理解されよう。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０４】
さらに、本明細書で開示した態様に関して説明した様々な例示的な論理ブロック、モジュール、プロセッサ、手段、回路、およびアルゴリズムステップのいずれかは、電子ハードウェア（例えば、ソースコーディングまたは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装され得ることを当業者なら諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１０５】
本明細書で開示した態様に関して、ならびに図２および図１１〜図１５に関して説明した様々な例示的な論理ブロック、モジュール、および回路は、集積回路（ＩＣ）、アクセス端末、またはアクセスポイント内に実装され得るか、またはそれらによって行われ得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電気構成要素、光学構成要素、機械構成要素、または本明細書で説明する機能を行うように設計されたそれらの任意の組合せを備え得、ＩＣの内部に、ＩＣの外側に、またはその両方に常駐するコードまたは命令を実行し得る。論理ブロック、モジュールおよび回路は、ネットワーク内またはデバイス内の様々な構成要素と通信するためにアンテナおよび／またはトランシーバを含み得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。モジュールの機能は、本明細書で教示する方法とは別の何らかの方法で実装され得る。（例えば、添付の図の１つまたは複数に関して）本明細書で説明した機能は、いくつかの態様では、添付の特許請求の範囲において同様に指定された「手段」機能に対応し得る。
【０１０６】
開示したプロセス中のステップの特定の順序または階層は例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１０７】
説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。要約すれば、コンピュータ可読媒体は任意の好適なコンピュータプログラム製品に実装され得ることを諒解されたい。
【０１０８】
上記の説明は、いかなる当業者も添付の特許請求の範囲内の実施形態を作成または使用できるように与えたものである。これらの態様への様々な修正は当業者には容易に明らかになり、本明細書で定義した一般原理は、本開示の範囲から逸脱することなく他の態様に適用され得る。従って、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
[Ｃ１]
ネットワークにおける通信のために構成されたワイヤレス装置において実装される方法であって、前記方法が、
前記ワイヤレス装置が位置するエリアを判断することと、
各領域が前記エリアの一部分に対応する、複数の領域を識別することと、
前記複数の領域に関する情報を受信することであって、前記情報が、前記複数の領域のうちの１つまたは複数内での通信のために割り振られる１つまたは複数の通信チャネルを示す、受信することと、
前記１つまたは複数の通信チャネル上での通信について感知することと、
前記感知することに基づいて前記１つまたは複数の通信チャネルの利用可能性を判断することと
を備える、方法。
[Ｃ２]
前記情報が、前記複数の領域のうちの前記１つまたは複数における通信のために使用される波形をさらに備え、通信について感知することが、前記１つまたは複数の通信チャネル上での前記波形について感知することを備える、Ｃ１に記載の方法。
[Ｃ３]
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、Ｃ１に記載の方法。
[Ｃ４]
前記エリアは、前記ワイヤレス装置が通信に関与するデバイスのセルラー識別子に基づいて判断される、Ｃ１に記載の方法。
[Ｃ５]
利用可能であると判断された前記１つまたは複数の通信チャネルのうちの少なくとも１つの上で通信することをさらに備える、Ｃ１に記載の方法。
[Ｃ６]
前記複数の領域が、少なくとも前記判断されたエリアに等しく組み合わせられる、Ｃ１に記載の方法。
[Ｃ７]
前記複数の領域に関する前記情報についてデータベースを照会することをさらに備える、Ｃ１に記載の方法。
[Ｃ８]
ネットワークにおける通信のために構成されたワイヤレス装置であって、前記装置が、
前記ワイヤレス装置が位置するエリアを判断することと、
各領域が前記エリアの一部分に対応する、複数の領域を識別することと
を行うように構成されたプロセッサと、
前記複数の領域に関する情報を受信するように構成された受信機であって、前記情報が、前記複数の領域のうちの１つまたは複数内での通信のために割り振られる１つまたは複数の通信チャネルを示す、受信機と、
前記１つまたは複数の通信チャネル上での通信について感知するように構成された感知モジュールと
を備え、前記プロセッサが、前記感知することに基づいて前記１つまたは複数の通信チャネルの利用可能性を判断するようにさらに構成された、装置。
[Ｃ９]
前記情報が、前記複数の領域のうちの前記１つまたは複数における通信のために使用される波形をさらに備え、通信について感知することが、前記１つまたは複数の通信チャネル上での前記波形について感知することを備える、Ｃ８に記載の装置。
[Ｃ１０]
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、Ｃ８に記載の装置。
[Ｃ１１]
前記エリアは、前記ワイヤレス装置が通信に関与するデバイスのセルラー識別子に基づいて判断される、Ｃ８に記載の装置。
[Ｃ１２]
利用可能であると判断された前記１つまたは複数の通信チャネルのうちの少なくとも１つの上で通信するように構成された送信機をさらに備える、Ｃ８に記載の装置。
[Ｃ１３]
前記複数の領域が、少なくとも前記判断されたエリアに等しく組み合わせられる、Ｃ８に記載の装置。
[Ｃ１４]
前記複数の領域に関する前記情報についてデータベースにクエリを送信するように構成された送信機をさらに備える、Ｃ８に記載の装置。
[Ｃ１５]
ネットワークにおける通信のために構成されたワイヤレス装置であって、前記装置が、
前記ワイヤレス装置が位置するエリアを判断するための手段と、
各領域が前記エリアの一部分に対応する、複数の領域を識別するための手段と、
前記複数の領域に関する情報を受信するための手段であって、前記情報が、前記複数の領域のうちの１つまたは複数内での通信のために割り振られる１つまたは複数の通信チャネルを示す、受信するための手段と、
前記１つまたは複数の通信チャネル上での通信について感知するための手段と、
前記感知することに基づいて前記１つまたは複数の通信チャネルの利用可能性を判断するための手段と
を備える、装置。
[Ｃ１６]
前記情報が、前記複数の領域のうちの前記１つまたは複数における通信のために使用される波形をさらに備え、通信について感知することが、前記１つまたは複数の通信チャネル上での前記波形について感知することを備える、Ｃ１５に記載の装置。
[Ｃ１７]
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、Ｃ１５に記載の装置。
[Ｃ１８]
前記エリアは、前記ワイヤレス装置が通信に関与するデバイスのセルラー識別子に基づいて判断される、Ｃ１５に記載の装置。
[Ｃ１９]
利用可能であると判断された前記１つまたは複数の通信チャネルのうちの少なくとも１つの上で通信するための手段をさらに備える、Ｃ１５に記載の装置。
[Ｃ２０]
前記複数の領域が、少なくとも前記判断されたエリアに等しく組み合わせられる、Ｃ１５に記載の装置。
[Ｃ２１]
前記複数の領域に関する前記情報についてデータベースを照会するための手段をさらに備える、Ｃ１５に記載の装置。
[Ｃ２２]
ワイヤレス装置が位置するエリアを判断することと、
各領域が前記エリアの一部分に対応する、複数の領域を識別することと、
前記複数の領域に関する情報を受信することであって、前記情報が、前記複数の領域のうちの１つまたは複数内での通信のために割り振られる１つまたは複数の通信チャネルを示す、受信することと、
前記１つまたは複数の通信チャネル上での通信について感知することと、
前記感知することに基づいて前記１つまたは複数の通信チャネルの利用可能性を判断することと
をコンピュータに行わせるためのコードを記憶した非一時的コンピュータ可読媒体
を備える、コンピュータプログラム製品。
[Ｃ２３]
前記情報が、前記複数の領域のうちの前記１つまたは複数における通信のために使用される波形をさらに備え、通信について感知することが、前記１つまたは複数の通信チャネル上での前記波形について感知することを備える、Ｃ２２に記載のコンピュータプログラム製品。
[Ｃ２４]
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、Ｃ２２に記載のコンピュータプログラム製品。
[Ｃ２５]
前記エリアは、前記ワイヤレス装置が通信に関与するデバイスのセルラー識別子に基づいて判断される、Ｃ２２に記載のコンピュータプログラム製品。
[Ｃ２６]
前記コードが、利用可能であると判断された前記１つまたは複数の通信チャネルのうちの少なくとも１つの上で通信することを前記コンピュータにさらに行わせる、Ｃ２２に記載のコンピュータプログラム製品。
[Ｃ２７]
前記複数の領域が、少なくとも前記判断されたエリアに等しく組み合わせられる、Ｃ２２に記載のコンピュータプログラム製品。
[Ｃ２８]
前記コードが、前記複数領域に関する前記情報についてデータベースを照会することを前記コンピュータにさらに行わせる、Ｃ２２に記載のコンピュータプログラム製品。
【図１Ａ】
0005882515.tif 000002
【図１Ｂ】
0005882515.tif 000003
【図２】
0005882515.tif 000004
【図３】
0005882515.tif 000005
【図４】
0005882515.tif 000006
【図５】
0005882515.tif 000007
【図６】
0005882515.tif 000008
【図７】
0005882515.tif 000009
【図８】
0005882515.tif 000010
【図９】
0005882515.tif 000011
【図１０】
0005882515.tif 000012
【図１１】
0005882515.tif 000013
【図１２】
0005882515.tif 000014
【図１３】
0005882515.tif 000015
【図１４】
0005882515.tif 000016
【図１５】
0005882515.tif 000017